(57)【要約】第１の通信装置（１２０）から第２の通信装置（１３０）への呼を開始するステップ（Ｓ４０２）と、呼の開始に応じて、データ・パケット（１４０）内にプッシュ・トゥ・リッスン制御プロトコル構造を埋め込むステップ（Ｓ４０４）と、第１の通信装置（１２０）から第２の通信装置（１３０）へデータ・パケット（１４０）を送信するステップ（Ｓ４０６）と、プッシュ・トゥ・リッスン制御プロトコル構造に基づいて、第２の通信装置（１３０）を構成するステップ（Ｓ４１２）と、第２の通信装置（１３０）の構造に応じて、第２の通信装置（１３０）から第１の通信装置（１２０）へ自動再接続を送信するステップ（Ｓ４１８）とを含む無線通信システム（１０１）を作動するための方法。
2007505563.tif 000002
【特許請求の範囲】
【請求項１】
無線通信システムを動作するための方法であって、
第１の通信装置から第２の通信装置への呼を開始するステップと、
前記呼の開始に応じて、データ・パケット内にプッシュ・トゥ・リッスン制御プロトコル構造を埋め込むステップと、
前記第１の通信装置から前記第２の通信装置へ前記データ・パケットを送信するステップと、
前記プッシュ・トゥ・リッスン制御プロトコル構造に基づいて、前記第２の通信装置を構成するステップとを備える、動作方法。
【請求項２】
前記構成ステップに応じて、前記第２の通信装置から前記第１の通信装置に自動再接続を送信するステップをさらに備える、請求項１に記載の動作方法。
【請求項３】
セキュリティ許可を行うステップをさらに備える、請求項１に記載の動作方法。
【請求項４】
前記データ・パケットの一定の時刻に作動する応答制御プロトコル構造を埋め込むステップと、
前記一定の時刻に作動する応答制御プロトコル構造に基づいて、前記第２の通信装置を構成するステップとをさらに備える、請求項１に記載の動作方法。
【請求項５】
前記データ・パケット内に追加のハングタイム制御プロトコル構造を埋め込むステップと、
前記追加のハングタイム制御プロトコル構造に基づいて、前記第２の通信装置を構成するステップとをさらに備える、請求項１に記載の動作方法。
【請求項６】
前記データ・パケット内にゲイン制御プロトコル構造を埋め込むステップと、
前記ゲイン制御プロトコル構造に基づいて、前記第２の通信装置を構成するステップとをさらに備える、請求項１に記載の動作方法。
【請求項７】
無線通信システムであって、
第１の通信装置から第２の通信装置への呼を開始するための手段と、
前記呼の開始に応じて、データ・パケット内にプッシュ・トゥ・リッスン・モード制御プロトコル構造を埋め込むための手段と、
前記第１の通信装置から前記第２の通信装置に前記データ・パケットを送信するための手段と、
前記プッシュ・トゥ・リッスン・モード制御プロトコル構造に基づいて、前記第２の通信装置を構成するための手段とを備える、無線通信システム。
【請求項８】
前記構成ステップに応じて、前記第２の通信装置から前記第１の通信装置に自動再接続を送信するための手段をさらに備える、請求項７に記載のシステム。
【請求項９】
前記データ・パケット内に追加のハングタイム制御プロトコル構造を埋め込むための手段と、
前記追加のハングタイム制御プロトコル構造に基づいて、前記第２の通信装置を構成するための手段とをさらに備える、請求項７に記載の無線通信システム。
【請求項１０】
前記データ・パケット内に一定の時刻に作動する応答制御プロトコル構造を埋め込むための手段と、
前記一定の時刻に作動する応答制御プロトコル構造に基づいて、前記第２の通信装置を構成するための手段とをさらに備える、請求項７に記載の無線通信システム。
【発明の詳細な説明】
【技術分野】
【０００１】
本発明は、無線通信システムを介してのプッシュ・トゥ・リッスン（プッシュ・ボタンを押すと聞こえる）の監視一般に関する。より詳細には、本発明は、被監視者がボタンを押す必要性をすべて排除する監視に関する。
【背景技術】
【０００２】
図１は、従来の無線通信システム１００を示すブロック図である。図１の例示としての無線通信システムは、無線サービス・プロバイダ１０５、無線ネットワーク１０７および無線デバイス１１０〜１１５を備える。無線ネットワークは、固定網要素（ＦＮＥ）１０８として図示してある複数の基地局およびセル・タワーを含む。無線ネットワーク１０７およびＦＮＥ１０８は、セルラーホンおよびディスパッチ・サービスの両方をサポートすることができる。無線サービス・プロバイダ１０５は、第一世代（１Ｇ）アナログ携帯電話サービス、（暫定２．５Ｇおよび２．７５Ｇネットワークを含む）第二世代（２Ｇ）デジタル携帯電話サービス、または第三世代（３Ｇ）インターネット可能携帯電話サービスである。例示としての無線ネットワーク１０７は、携帯電話ネットワーク、モバイル・テキスト・メッセージング・デバイス・ネットワーク、ページャ・ネットワーク等である。ある例の場合には、図１の無線ネットワーク１０７の通信規格は、符号分割多元接続（ＣＤＭＡ）、時分割多元接続（ＴＤＭＡ）、広域自動車通信システム（ＧＳＭ）、汎用パケット無線サービス（ＧＰＲＳ）、周波数分割多元接続（ＦＤＭＡ）等である。無線ネットワーク１０７およびＦＮＥ１０８の動作および構造は周知のものであるので、詳細な説明は省略する。
【０００３】
無線ネットワーク１０７は、携帯電話、テキスト・メッセージング・デバイス、ハンドヘルド・コンピュータ、ページャ、ポケットベル等である任意の数の無線デバイス１１０〜１１５をサポートする。
【発明の開示】
【発明が解決しようとする課題】
【０００４】
ボタンを押すことができない人と通信するための方法、特にある人がお年寄りの両親または小さな子供を呼び出したいような状況を監視するための方法があれば便利である。小さな子供は、電話を受けたり、送信するために正しいボタンをうまく押すことができない。老人は、ボタンを押すことができない場合もあるし、または電話上のボタンを押すのが難しい場合もあるし、またそうするのが苦痛である場合もある。肢体不自由者は、ボタンをうまく押せるほど自分の手を自由に動かす機能を持っていない場合もあるし、そうできない場合もある。
【課題を解決するための手段】
【０００５】
ある態様によれば、本発明は、第１の通信装置から第２の通信装置への呼を開始するステップと、呼の開始に応じてデータ・パケット内にプッシュ・トゥ・リッスン制御プロトコル構造を埋め込むステップを含む無線通信システムを作動するための方法を提供する。この方法は、さらに、第１の通信装置から第２の通信装置にデータ・パケットを送信するステップと、プッシュ・トゥ・リッスン制御プロトコル構造に基づいて第２の通信装置を構成するステップとを含む。
【０００６】
他の態様によれば、本発明は、第１の通信装置から第２の通信装置への呼を開始する手段と、呼の開始に応じてデータ・パケット内にプッシュ・トゥ・リッスン制御プロトコル構造を埋め込むための手段とを備える無線通信システムを提供する。この無線通信システムは、また、第１の通信装置から第２の通信装置にデータ・パケットを送信するための手段と、プッシュ・トゥ・リッスン制御プロトコル構造に基づいて、第２の通信装置を構成するための手段とを備える。
【０００７】
第３の態様によれば、本発明は、第１の通信装置から第２の通信装置への呼を開始し、呼の開始に応じてデータ・パケット内にプッシュ・トゥ・リッスン制御プロトコル構造を埋め込むためのコンピュータ可読コードを含むコンピュータ・プログラムを記憶するためのコンピュータが使用することができる媒体を提供する。コンピュータ可読コードを含むコンピュータ・プログラムを記憶するためのコンピュータが使用することができる媒体は、また、第１の通信装置から第２の通信装置にデータ・パケットを送信し、またプッシュ・トゥ・リッスン制御プロトコル構造に基づいて、第２の通信装置を構成するためのコンピュータ可読コードも提供する。
【発明を実施するための最良の形態】
【０００８】
本発明の上記デバイスおよび他のデバイスおよび機能および利点は、添付の図面を参照しながらこの好ましい実施形態の以下の詳細な説明を読めば、さらに理解することができるだろう。詳細な説明および図面は、本発明の単に説明するためのものであって、本発明を制限するためのものではない。本発明の範囲については、添付の特許請求の範囲およびその相当物が定義している。
【０００９】
本発明は、類似の参照番号が類似の要素を示す例示としてのものであって、添付の図面に限定されない。
図２は、本発明の一実施形態によるプッシュ・トゥ・リッスン無線通信システム１０１を示すブロック図である。例示としてのプッシュ・トゥ・リッスン無線通信システム１０１は、無線サービス・プロバイダ１０５と、無線ネットワーク１０７と、少なくとも第１の無線通信装置１２０および第２の無線通信装置１３０とを備える。無線ネットワークは、固定網要素（ＦＮＥ）１０８として示す複数の基地局およびセル・タワーを含む。無線サービス・プロバイダ１０５および無線ネットワーク１０７は、図１に示す機能と同じ機能を提供する。
【００１０】
図３は、本発明のある態様による第１の通信装置１２０を示す。この実施形態の場合には、第１の通信装置は、少なくともプッシュ・トゥ・リッスン式の呼を開始するために操作することができるプッシュ・トゥ・リッスン・ボタン１２２と、スクロール・ダウン・ボタン１２３と、アップ・スクロール・キー１２４と、第１および第２の通信装置１２０および１３０の機能のうちのあるものを制御するために操作することができるキーパッド１２６を備える。他の実施形態の場合には、第２の通信装置１３０は、第１の通信装置１２０と同一のものである。他の実施形態の場合には、第１および第２の通信装置１２０、１３０は同一のものではないが、第１および第２の通信装置１２０、１３０は、両方とも本明細書に開示されているプッシュ・トゥ・リッスン機能を備える。さらに他の実施形態の場合には、第２の通信装置１３０は、スクロール・ボタンまたはプッシュ・トゥ・リッスン・ボタンを備えていない場合があり、そのような実施形態の場合には、第２の通信装置は、単にプッシュ・トゥ・リッスン・デバイスとして機能することができる。第１の通信装置１２０上のプッシュ・トゥ・リッスン・ボタン１２２は、無線ネットワーク１０７内の通信チャネルを通して送信を開始するために操作することができる。例えば、第１の通信装置１２０のユーザ（図示せず）がプッシュ・トゥ・リッスン・ボタン１２２を押した場合には、無線ネットワーク１０７内で通信チャネルが割り当てられ、第１の通信装置１２０は、ユーザからの通信の送信を開始することができる。一実施形態の場合には、第１の通信装置１２０および第２の通信装置１３０は、プッシュ・トゥ・トーク通信装置またはプッシュ・トゥ・リッスン通信装置として動作することができる。
【００１１】
監視者がプッシュ・トゥ・リッスン・ボタン１２２を離した場合には、第１の通信装置１２０は、無線ネットワーク１０７内の通信チャネルを通して送信終了（ＥＯＴ）メッセージを送信する。この時点で、第１の通信装置１２０は、もはや無線ネットワーク１０７内の通信チャネルを通して送信を行わない。
【００１２】
第１の通信装置１２０および第２の通信装置１３０は、図１に示すように、通常の携帯電話として動作することも可能であり、図２に示すように、プッシュ・トゥ・リッスン・デバイスとして動作することも可能である。１つの無線通信装置内に配線されているセルラーホン機能とプッシュ・トゥ・トーク機能のこの組合わせは、当業者にとって周知のものであり、このような装置は、例えば、ネクステル（Ｎｅｘｔｅｌ、商標）などの販売業者から市販されている。第１の通信装置１２０および第２の通信装置１３０は、セルラーホン・サービスおよびプッシュ・トゥ・リッスン式のサービスの両方をサポートすることができるが、第１の通信装置１２０および第２の通信装置１３０はこの点に限定されない。実際には、「通信装置」という用語は、固定電気通信機器をも含み、通話を行うのに適している任意の電気通信装置を含むものである。それ故、「通信装置」の定義は、「陸上通信線」、プッシュ・トゥ・トーク・デバイス、プッシュ・トゥ・リッスン・デバイス、セルラーホンおよび任意の携帯通信機器を含む。
【００１３】
本明細書に記載するプッシュ・トゥ・リッスン機能は、老人、肢体不自由者、子供等のための監視および通信システムとして機能する。プッシュ・トゥ・リッスン機能により、第２の通信装置１３０のところの被監視者がボタンを押さなくても、または第２の通信装置をピックアップしなくても、第１の通信装置１２０のところの監視者と会話することができる。第１の通信装置１２０の監視者だけが、会話するためにボタンを押すか、通信装置をピックアップするだけでよい。
【００１４】
「監視者」および「発呼者」という用語は、本明細書においては置き換えが可能な用語であり、呼を開始し、通話中、ボタンを押すことにより種々のパラメータを制御する者を意味する。同様に、「被監視者」および「受信者」という用語は、本明細書において置き換えが可能な用語であり、ボタンを押さなくても電話を受け、監視者と会話する者を意味する。
【００１５】
図４は、プッシュ・トゥ・リッスン無線通信システム１０１の一実施形態を示すフローチャート４００である。ステップＳ４０２中、発呼者は、呼を開始するために、図３に示すように、第１の通信装置（ＦＣＵ）１２０上のプッシュ・トゥ・リッスン・ボタン（ＰＴＬ）１２２を押す。ステップＳ４０４中、第１の通信装置１２０は、受信者と通信する目的で、発呼者のための通信チャネルを開くために、送信したデータ・パケット内に埋め込まれているプッシュ・トゥ・リッスンのためのプロトコルにより、無線ネットワーク１０７へ呼要求を送信する。無線システム１０７内の固定網要素１０８は、第２の通信装置１３０の位置を発見し、第２の通信装置１３０に呼要求メッセージを送信する。
【００１６】
ステップＳ４０６中、第２の通信装置１３０は、固定網要素１０８からのデータ・パケット内に埋め込まれているプッシュ・トゥ・リッスン（ＰＴＬ）フラグを受信する。
ステップＳ４０８中、第２の通信装置１３０のところでプッシュ・トゥ・リッスン・フラグを受信したかどうかの判断が行われる。ステップＳ４０６中に第２の通信装置１３０のところで受信した呼要求内に、プッシュ・トゥ・リッスン・フラグが埋め込まれていた場合には、流れはステップＳ４１２に進む。ステップＳ４０６中に受信者の電話のところで受信した呼要求内にプッシュ・トゥ・リッスン・フラグが埋め込まれていなかった場合には、流れはステップＳ４１０に進み、通常の当業者であれば周知のように、第２の通信装置１３０を使用している人の側でプッシュ・トゥ・トーク式の手動再接続動作により呼が継続される。
【００１７】
ステップＳ４１２中、第２の通信装置１３０は、プッシュ・トゥ・リッスン・フラグを含んでいる入力データ・パケットに応じて、デフォルト・プッシュ・トゥ・リッスン・パラメータ用に構成される。
【００１８】
ステップＳ４１４中、第１の通信装置１２０は、音声チャネルを開き、話し手となる。発呼者から受信者への一方向通信は、プッシュ・トゥ・リッスン・ボタン１２２を押し続けながら、受信者に発呼者が話している間は進行する。発呼者がプッシュ・トゥ・リッスン・ボタン１２２を離すと、送信のプライベート呼終了が表示される。
【００１９】
送信のプライベート呼終了は、第１の通信装置１２０から無線システム１０７の固定網要素１０８に送信される。この時点で、無線システム１０７の固定網ユニット１０８は、第２の通信装置１３０から第１の通信装置１２０へ確立される再接続用の開いているチャネルを供給する。ハングタイムは、送信していない場合に通信装置１２０および１３０に割り当てられる一時的通信チャネルが開いた状態に保持される時間の長さである。
【００２０】
ステップＳ４１６中、プッシュ・トゥ・リッスン埋め込みプロトコルが、追加のハングタイムをデフォルト・パラメータとして表示している場合には、追加の時間が従来のハングタイムに加算される。第１の通信装置１２０を作動している監視者が、監視者からのプッシュ・トゥ・リッスン式の呼に音声で応答するために、被監視者がある場所に着くのが遅れると予想する場合には、追加の遅延時間が望ましい場合がある。これにより、受信者は応答するための追加の時間を手に入れる。追加のハングタイムは、図１１，１２を参照して説明するように、プッシュ・トゥ・リッスン式の通話中に再構成することができる予め設定した時間である。被監視者が監視者と通話が可能になった場合には、監視者は、通話中、追加のハングタイムを除去または短縮したい場合がある。追加のハングタイムも、通話の前後に構成することができる。
【００２１】
プッシュ・トゥ・リッスン・プロトコルは、第２の通信装置１３０から第１の通信装置１２０への自動再接続を行う。ステップＳ４１８中、受信者から発呼者への自動再接続が確立される。第２の通信装置１３０は、受信者と通信する目的で発呼者への通信チャネルを再開するために、無線ネットワーク１０７へ再接続要求を送信する。固定網要素１０８は、通信チャネルを再開し、被監視者は、監視者と話をすることができる。
【００２２】
ステップＳ４２０の間、受信者から発呼者への一方向通信が、設定された一定の時刻に作動する応答に対して確立される。プッシュ・トゥ・リッスン・プロトコルは、行うステップＳ４２０の一方向通信のための予め設定した一定の時刻に作動する応答時間をすでに埋め込んでいる。この時間中、受信者は、プッシュ・トゥ・リッスン・ボタン１２２を保持または押さなくても発呼者と話をする。この予め設定した一定の時刻に作動する応答時間は、図９および図１０のところで説明するように、通話中に構成することができる。一定の時刻に作動する応答時間も、通話の前後に構成することができる。一定の時刻に作動する応答は、例えば、１５秒、４０秒または６０秒のような任意の時間とすることができる。一定の時刻に作動する応答の長さは、第１の通信装置１２０から監視者が確立する。
【００２３】
また、ステップＳ４２０中、発呼者と受信者との間の会話が終了した場合には、発呼者は呼を終了することができる。ステップＳ４１８の自動再接続の後で、発呼者は、第１の通信装置１２０上の終了ボタン（図示せず）を押すことにより、呼を打ち切ることができる。本発明の一実施形態の場合には、終了ボタンはプッシュ・トゥ・リッスン・ボタン１２２である。本発明の他の実施形態の場合には、終了専用ボタンとして、プッシュ・トゥ・リッスン・ボタン１２２の他に１つのボタンが設置されている。
【００２４】
一定の時刻に作動する応答時間が経過すると、無線システム１０７の固定網要素１０８は、第１の通信装置１２０から第２の通信装置１３０への再接続を確立するために開いているチャネルを供給する。ステップＳ４２２は、この第２のハングタイム中に開始する。ステップＳ４２２中、無線システム１０７は、再接続が発呼者からのものであるかどうかを判断する。プッシュ・トゥ・リッスン・プロトコルで第２のハングタイムを修正する必要はない。
【００２５】
発呼者は、また、再接続信号を送信しないでステップＳ４２２中に、会話を終了することができる。すなわち、発呼者は、プッシュ・トゥ・リッスン・ボタン１２２を押さないで会話を終了することができる。
【００２６】
ステップＳ４２２中に、発呼者が、プッシュ・トゥ・リッスン・ボタン１２２を再度押したというような再接続を受信した場合には、流れはステップＳ４２４に進む。ステップＳ４２４中、発呼者は、受信者が第２の通信装置１３０上のどのボタンを押さなくても受信者に再接続される。次に、流れはステップＳ４１４に進み、発呼者は、すでに説明したように受信者と話をすることができる。
【００２７】
ステップＳ４２２中に再接続を受信しなくなるまで、Ｓ４０８からＳ４２２を通してＳ４２４への流れがこのように継続して行われ、次に、流れはステップＳ４２６に進む。ステップＳ４２６中、第２の通信装置１３０が、プッシュ・トゥ・トーク式の動作のために再構成される。呼はＳ４２８中に終了する。呼が、ステップＳ４２２からステップＳ４２８の手順で行われる場合には、発呼者は呼の終了を選択する。この場合、ステップＳ４２０の一定の時刻に作動する応答が時間切れになった後で、または発呼者が終了ボタンを押した後で、発呼者が、ステップＳ４２２中に第１の通信装置１２０上のプッシュ・トゥ・リッスン・ボタン１２２を押さなかった場合、呼は終了する。
【００２８】
第２の通信装置１３０の構造のパラメータは、図９〜図１４を参照して詳細に説明するように、通信の流れ中の任意の時点で修正することができる。例えば、第２の通信装置１３０のスピーカ・ゲインは、上記に概略説明した方法により任意のステップにおいて修正することができる。他のパラメータも同様にこの方法により任意のステップにおいて修正することができる。
【００２９】
図４では、無線通信システム１０１の動作を半二重として説明したが、本発明は半二重に限定されないで、例えば、無線ネットワーク１０７通信システムに依存しない全二重または半二重のようなシステムでも実行することができる。
【００３０】
図５は、本発明の一実施形態によるプッシュ・トゥ・リッスン式の呼を開始するために、送信したパケットの一部であるプライベート呼情報要素１４０を示すブロック図である。図面を分かりやすくするために、また説明を簡単なものにするために、本明細書では１６ビットの情報パケットについて説明することに留意されたい。しかし、本発明は決して１６ビット情報パケットに限定されるのではなく、本発明はもっと多くのまたはもっと少ないビットを含む情報パケットと一緒に使用することができる。情報パケットの大きさは設計の選択の問題であり、本発明は情報パケット内のビットの数により決して制限されない。第１の通信装置１２０が、無線ネットワーク１０７に呼要求を送信すると、情報要素１４０が要求内に埋め込まれる。情報要素１４０は１６ビットからなる。第１のオクテット１４６は、無線ネットワーク１０７を通して接続を設定するのに必要な要素を含む、情報要素１４０の第１の８ビット（１，２，３，４，５，６，７，８）を含む。情報要素１４０の第２のオクテット１４７は、第２の８ビット（１０，２０，３０，４０，５０，６０，７０，８０）を含む。第２のオクテット内のビットは、プッシュ・トゥ・リッスン機能用の第２の通信装置１３０を構成するように設定される。ビット７０，８０は、プライベート呼で要求されている呼のタイプを記述する呼タイプ・インジケータを含む。これらのビットは、発呼者が送信したプライベート呼で要求している呼のタイプについての情報を提供する。ビット６０は、呼がプッシュ・トゥ・トーク式の呼またはプッシュ・トゥ・リッスン式の呼であるか否かを示す。ビット６０が１に設定されている場合には、図４のステップＳ４０６中で説明したように、プッシュ・トゥ・リッスン・フラグが第２の通信装置１３０のところで受信される。発呼者と受信者との間の会話は、図４のところで説明したように、受信者がボタンを押さなくても行われる。ビット６０がゼロに設定されている場合には、プッシュ・トゥ・リッスン・フラグは受信されないで、受信者は、第１の通信装置１２０上で聴取している発呼者と話をする目的で通信チャネルを開くために、第２の通信装置１３０上のボタンを押さなければならない。
【００３１】
ビット５０は、発呼者からの送信の終わりのところで、受信者からの自動再接続（図４のステップＳ４１８）の前に、従来のハングタイムに追加のハングタイムを加算すべきかどうかを表示する（図４のステップＳ４１６）。ビット５０を１に設定した場合には、第２の通信装置１３０内に予めプログラムされている追加のハングタイムが、図４のステップＳ１４６中の発呼者からの送信の終了の後に続く。ビット５０をゼロに設定した場合には、追加のハングタイムは、第２の通信装置１３０から再接続要求が送信される前に、発呼者からの送信の後に続かない。ビット３０，４０は、監視者と話をするために被監視者に割り当てられた時間であるプッシュ・トゥ・リッスンの一定の時刻に作動する応答を設定する。被監視者は、監視者と話をする目的で通信チャネルを開くためにプッシュ・トゥ・リッスン・ボタン１２２を押す必要はない。
【００３２】
ビット１０，２０は、第２の通信装置１３０上のマイクロホンのゲインを設定し、第２の通信装置１３０のスピーカのゲインを設定する。
図６は、本発明の一実施形態によるプッシュ・トゥ・リッスン式の通話中に送信されたパケット内に埋め込まれるプライベート呼情報修飾要素１４１を示すブロック図である。情報修飾要素１４１は、呼が進行中に第２の通信装置１３０を修正するために使用され、一方、情報要素１４０は、無線ネットワーク１０７内で開通信チャネルを確立するために使用される。
【００３３】
情報修飾要素１４１は１６ビットからなる。第１のオクテット１４８は、情報修飾要素１４１の第１の８ビット（１１，２１，３１，４１，５１，６１，７１，８１）からなる。情報要素１４１の第２のオクテット１４９は、第２の８ビット（１２，２２，３２，４２，５２，６２，７２，８２）を含む。第２のオクテット１４９内のビットは、第２の通信装置１３０のところでプッシュ・トゥ・リッスン構造パラメータのうちのいくつかまたは全部を修正するために必要な要素を含む。
【００３４】
情報要素１４１の第２のオクテット１４９のビット６２、７２および８２は、ある例の場合には、標準１２−１バージョン（ＴＶＣ）圧縮比を含む。本発明の他の実施形態は、通常の当業者であれば周知であり、理解できる他の圧縮比を含む。
【００３５】
情報修飾要素１４１内のビット５２は、発呼者が送信した送信の終わりの受信と、第２の通信装置１３０からの自動再接続の間の遅延の長さを変えることにより、プッシュ・トゥ・リッスン通信システム１０１内の追加のハングタイム値を修正するために使用される。情報修飾要素１４１内のビット５２内の１または０の受信に基づいて、第２の通信装置１３０を再構成するために、テーブルが第２の通信装置１３０内で予めプログラムされる。プッシュ・トゥ・リッスン式の呼が進行中である場合には、追加ハングタイム値を修正することができ、または呼の前後に第１の通信装置１２０により修正することができる。
【００３６】
情報修飾要素１４１内のビット３２および４２は、被監視者が話した語を監視者が聞くために割り当てられた時間であるプッシュ・トゥ・リッスンの一定の時刻に作動する応答を修正するために使用される。情報修飾要素１４１内のビット３２および４２内の１または０の受信に基づいて、第２の通信装置１３０を再構成するために、テーブルが第２の通信装置１３０内で予めプログラムされる。プッシュ・トゥ・リッスン式の呼が進行中である場合には、プッシュ・トゥ・リッスンの一定の時刻に作動する応答を修正することができ、または通話の前後に第１の通信装置１２０により修正することができる。
【００３７】
ビット１２および２２は、第２の通信装置１３０上のマイクロホンのゲインを設定し、第２の通信装置１３０のスピーカのゲインを設定する。情報修飾要素１４１内のビット１２および２２内の１または０の受信に基づいて、第２の通信装置１３０を再構成するために、テーブルが第２の通信装置１３０内で予めプログラムされる。呼が進行中である場合には、第２の通信装置１３０上のマイクロホンのゲイン、および／または第２の通信装置１３０のスピーカのゲインを修正することができる。別の方法としては、第２の通信装置１３０上のマイクロホンのゲインおよび／または第２の通信装置１３０のスピーカのゲインを、通話の前後で第１の通信装置１２０により修正することができる。スピーカ・ゲインの増大は、例えば、被監視者が監視者からの最初の呼に応答しない場合、監視者により使用される。例えば、被監視者が眠っていて、監視者が被監視者の目を覚ましたい場合には、スピーカのゲインの増大が使用される。他の例の場合には、被監視者があまり小さな声で話していたり、または監視者が聞き取れないほどマイクロホンから非常に離れた場所で話している場合には、監視者は、被監視者の声を聞くことができるようにマイク・ゲインを増大する。
【００３８】
パラメータをデフォルト・パラメータまたは修正済みパラメータとして確立するために、参照テーブルが通信装置内に埋め込まれる。パラメータの修正は、発呼者による第１の通信装置１２０上のボタン１２２、１２３および１２４上および／またはキーパッド１２６上で一連のキーを叩くことにより行われる。
【００３９】
図７は、プッシュ・トゥ・リッスン式の呼を確立するために、ビット１〜８および１０〜８０により構成されている第１の通信装置１２０から第２の通信装置１３０への情報要素１４０の送信中の無線通信システム１０１のブロック図である。図面を分かりやすくするために、第１の通信装置１２０および第２の通信装置１３０間の通信チャネルを開き、維持するための無線ネットワーク１０７の第１および第２の通信装置１２０および１３０との相互作用は、図７〜図１６の説明に記載していない。何故なら、相互作用については、図４のところですでに説明したからである。
【００４０】
図８は、受信者が監視者に話しかけている場合の、図４のステップＳ４２０中に第１の通信装置１２０へのプッシュ・トゥ・リッスン式の電話をかけるために構成されている第２の通信装置１３０からの戻りパケット２００の送信を示す無線通信システム１０１のブロック図である。戻りパケット２００は、被監視者が第２の通信装置１３０上のボタンを押さなくても送信される。
【００４１】
図９は、第１の通信装置１２０から第２の通信装置１３０への情報修飾要素１４１を送信している無線通信システム１０１のブロック図である。情報修飾要素１４１は、第２の通信装置１３０内でプッシュ・トゥ・リッスンの一定の時刻に作動する応答を修正するように設定されているビット３２および４２により構成される。
【００４２】
図１０は、受信者が発呼者に話しかけている場合の、図４のステップＳ４２０中の修正した第２の通信装置１３２から第１の通信装置１２０への戻りパケット２００の送信を示す無線通信システム１０１のブロック図である。図９で情報修飾要素１４１を受信した場合には、第２の通信装置１３０は、埋め込みビット３２および４２に応じて再構成され、新しく修正したプッシュ・トゥ・リッスンの一定の時刻に作動する応答により、一定の時刻に作動する応答修正済みの第２の通信装置１３２を形成する。
【００４３】
図１１は、第１の通信装置１２０から第２の通信装置１３０への情報修飾要素１４３を送信している無線通信システム１０１のブロック図である。情報修飾要素１４３は、第２の通信装置１３０内で現在のハングタイムを修正するように設定されているビット５２により構成される。このハングタイムは、第１の通信装置１２０からの送信の終了の受信と、第２の通信装置１３０による自動再接続の間の経過時間である。
【００４４】
図１２は、受信者が発呼者に話しかけている場合の、図４のステップＳ４２０中の修正済みの第２の通信装置１３３から第１の通信装置１２０への戻りパケット２００の送信を示す無線通信システム１０１のブロック図である。図１１で情報修飾要素１４３を受信した場合には、第２の通信装置１３０は、埋め込みビット５２に応じて再構成され、修正したハングタイムにより第２の通信装置１３０を形成する。この修正を行うと、ハングタイムを従来のハングタイムから従来のハングタイム以上の時間に増大することができる。別の方法としては、この修正により、ハングタイムを従来のハングタイムより長い時間から従来のハングタイムに低減することができる。ハングタイムを使用しないある実施形態の場合には、ハングタイムを修正すると、ハングタイムをほぼゼロに低減することができ、ほぼ同時に再接続を行うことができる。
【００４５】
図１３は、第１の通信装置１２０から第２の通信装置１３０に情報修飾要素１４４を送信している無線通信システム１０１のブロック図である。情報修飾要素１４４は、第２の通信装置１３０のスピーカ・ゲインを修正するように設定されているビット１２および２２により構成される。この修正は、スピーカのゲインを低減または増大することができる。
【００４６】
図１４は、受信者が発呼者に話しかけている場合の、図４のステップＳ４２０中のスピーカ・ゲインを修正した第２の通信装置１３４から第１の通信装置１２０への戻りパケット２００の送信を示す無線通信システム１０１のブロック図である。図１３で情報修飾要素１４４を受信した場合には、第２の通信装置１３０は、埋め込みビット１２および２２に応じて再構成され、新しいスピーカ・ゲインにより修正済みの第２の通信装置１３４を形成する。第１の通信装置１２０上のアップ・スクロール・キー１２４またはダウン・スクロール・キー１２３を押すことにより、被監視者は第２の通信装置１３０のスピーカのゲインを増大または低減する。
【００４７】
図１５は、第１の通信装置１２０から第２の通信装置１３０へ情報修飾要素１４５を送信中の無線通信システム１０１のブロック図である。情報修飾要素１４５は、第２の通信装置１３０のマイク・ゲインを修正するように設定されているビット１２および２２により構成される。この修正を行うと、マイクロホンのゲインを増大または低減することができる。第１の通信装置１２０上のプッシュ・トゥ・リッスン・ボタン１２２およびアップ・スクロール・キー１２４またはダウン・スクロール・キー１２３を押すことにより、被監視者は、第２の通信装置１３０のマイクロホンのゲインを増大または低減する。
【００４８】
図１６は、受信者が発呼者に話しかけている場合の、図４のステップＳ４２０中のマイク・ゲインを修正した第２の通信装置１３５から第１の通信装置１２０への戻りパケット２００の送信を示す無線通信システム１０１のブロック図である。図１５で情報修飾要素１４５を受信した場合には、第２の通信装置１３０は、埋め込みビット１２および２２に応じて再構成され、新しいマイク・ゲインにより修正した第２の通信装置１３４を形成する。
【００４９】
図９〜図１６に示すすべての修正は、第１の通信装置１２０上の少なくとも１つのボタンを少なくとも１回押すことにより開始する。第２の通信装置１３０へのすべてのプッシュ・トゥ・リッスン修正は、デフォルト位置への通話の終了時、または任意の他の適当な時間にリセットすることができる。本明細書に記載するプッシュ・トゥ・リッスン無線通信システム１０１は、セキュリティ認証で作動することができる。プッシュ・トゥ・リッスン用のプライベート監視／被監視電話帳またはプッシュ・トゥ・トーク用のプライベート電話帳に対してモード選択を使用することができる。
【００５０】
図１７は、緊急電話番号をダイヤルすることにより、緊急状況で監視者により修正したプッシュ・トゥ・リッスン式の呼を被監視者がどのように行うことができるのかを示す。図１７は、フローチャート１７００である。
【００５１】
ステップＳ１７０２中に、被監視者は、第２の通信装置（ＳＣＵ）１３０から９１１または他の緊急番号をダイヤルする。一実施形態の場合には、被監視者に緊急協力を行うための緊急番号は９１１以外の番号であってもよい。いかなる場合においても、緊急番号は、緊急プッシュ・トゥ・リッスン・モード制御プロトコルにより認識することができる。ステップＳ１７０４中に、監視者は、９１１でディスパッチャと通信を行う。ステップＳ１７０６中、被監視者または緊急ディスパッチャは、緊急呼を終了する。
【００５２】
ステップＳ１７０８中、第２の通信装置１３０は、緊急プッシュ・トゥ・リッスン（ＰＴＬ）モード制御プロトコルにより構成される。緊急プッシュ・トゥ・リッスン・モード制御プロトコルによる第２の通信装置１３０の構成は、ステップＳ１７０６中の緊急９１１の終了によりトリガされる。
【００５３】
ステップＳ１７１０中に、緊急プッシュ・トゥ・リッスン（ＰＴＬ）モード制御プロトコルが開始すると、第２の通信装置１３０からの第１の通信デバイス（ＦＣＵ）１２０のところで、予めプログラムされた緊急連絡へのプッシュ・トゥ・リッスン式の呼をトリガする。この呼は、被監視者が第２の通信装置１２０上のプッシュ・トゥ・リッスン・ボタン１２２を押さなくても開始する。固定網要素１０８は、呼のための通信チャネルを割り当てる。
【００５４】
ステップＳ１７１２中、緊急プッシュ・トゥ・リッスン（ＰＴＬ）モード制御プロトコルは、第２の通信装置（ＳＣＵ）１２０の一定の時刻に作動する応答制限を無効にする。一定の時刻に作動する応答制限は、非緊急状況中に図４のステップＳ４２０中で使用される。緊急プッシュ・トゥ・リッスン・モード制御プロトコルのこのオーバライド機能は、第１の通信装置１２０のユーザがアボート・ボタンを押すことにより呼を終了するまで、一方向チャネルを維持する。
【００５５】
ステップＳ１７１４中、監視者は、第１の通信装置（ＦＣＵ）１２０のところで、被監視者が９１１をダイヤルし、通信チャネルが無線システム１０７内で開いているという警告を受信する。一実施形態の場合には、この警告は、第１の通信装置１２０が発する特有の緊急トーンである。ステップＳ１７１６中、監視者は、第２の通信デバイス１３０から第１の通信デバイス１２０への一方向通信への割り当てられたチャネル上で聴取を行う。ステップＳ１７１８中、監視者は、アボート・ボタンを押すことにより、プッシュ・トゥ・リッスン（ＰＴＬ）式の呼を終了する。一実施形態の場合には、アボート・ボタンは、プッシュ・トゥ・リッスン・ボタン１２２である。監視者は、緊急スタッフが到着し、被監視者を医療施設に運んだ後で呼を終了することができる。
【００５６】
他の実施形態の場合には、遠隔プッシュ・ビュー（押すと見える）機能を、２００３年４月３０日付けで、本出願の譲受人に譲渡された米国特許出願第１０／４２７，０６９号の開示に従って追加することができる。監視のために、第１の通信装置１２０は、プッシュ・ビューを要求し、第２の通信装置１３０は、画像を入手し、それを第１の通信装置１２０に送信する。このことは、被監視者がプッシュ・トゥ・リッスン式の呼に応答しないで、監視者が被監視者または第２の通信装置１３０の周囲のエリアをチェックしたい場合に役に立つ。
【００５７】
プライバシーを保護するために、本発明は、一実施形態の場合に、プッシュ・トゥ・リッスン／プッシュ・トゥ・トーク・タイプの呼を選択するために、電話帳上にオプション（入力フィールド）を提供する。監視者は、第１の通信装置１２０の電話帳内に他の通信装置の秘密識別番号を記憶する。秘密識別番号は、プッシュ・トゥ・トーク、プッシュ・トゥ・リッスンまたは両方としてリストの形で表示される。発呼者がプッシュ・トゥ・リッスン式の呼を発生したい場合には、プッシュ・トゥ・リッスン・フィールドが、第１の通信装置１２０のところで選択される。
【００５８】
固定網要素１０８が呼に対して通信チャネルを割り当てると、無線システム１０７は、セキュリティ認証プロトコルを開始する。セキュリティ認証プロトコルは、第１の通信装置１２０のプッシュ・トゥ・リッスン電話帳内の番号に対してプッシュ・トゥ・リッスン式の呼を送信するだけである。プッシュ・トゥ・リッスン式の呼を受け入れることができるようにするために、第２の通信装置１３０は、電話帳上の第１の通信装置１２０の秘密識別番号をプッシュ・トゥ・リッスンとして持たなければならない。セキュリティ認証は、無線システム１０７が、第１の通信装置１２０の秘密識別番号が、第２の通信装置１３０の電話帳のプッシュ・トゥ・リッスン入力フィールド内に含まれていることを認識した場合に確立される。このセキュリティ認証プロトコルを使用すれば、確実に、許可を受けていない人が受信者を呼び出し、第２の通信装置１３０の周囲のエリアを聴取するのを防止することができる。この呼は、両方の通信装置１２０および１３０が認証された場合だけ受け入れられる。
【００５９】
無線通信システム１０１の図の実施形態は、監視者および被監視者が、被監視者がボタンを全然押さなくても会話することができる遠隔監視システムを提供する方法、手段およびコンピュータ可読コードを示すためのものであり、すべての可能性を網羅しようとするものでもなければ、上記目的のために製造することができるものを制限するものでもない。それ故、複数の他の可能な組合わせおよび実施形態を使用することができる。図面に示し本明細書に記載したものを使用することにより、通信方法を電話上のボタンを押すことができない人に提供することができる。それ故、通常の当業者であれば、無線通信システム１０１の実施形態を多数のまた種々のシステムで使用する利点を理解することができるだろう。
【００６０】
上記明細書においては、特定の実施形態を参照しながら本発明を説明してきた。しかし、通常の当業者であれば、添付の特許請求の範囲内に記載の本発明の範囲から逸脱することなしに、種々の修正および変更を行うことができることを理解することができるだろう。それ故、上記明細書および図面は、本発明を制限するものではなく、例示としてのものと見なすべきであり、このようなすべての修正は、本発明の範囲内に含まれる。
【図面の簡単な説明】
【００６１】
【図１】従来の無線通信システムを示すブロック図。
【図２】本発明の一実施形態によるプッシュ・トゥ・リッスン・システムを示すブロック図。
【図３】本発明の一実施形態による通信装置のブロック図。
【図４】本発明の一実施形態によるプッシュ・トゥ・リッスン・システムの一実施形態の動作を示すフローチャート。
【図５】本発明の一実施形態によるプッシュ・トゥ・リッスン式の呼を開始するためのプライベート呼情報要素のブロック図。
【図６】本発明の一実施形態による進行中のプッシュ・トゥ・リッスン式の呼を修正するためのプライベート呼情報要素のブロック図。
【図７】本発明の一実施形態によるプッシュ・トゥ・リッスン式の呼を開始するための監視装置からの監視対象装置へのパケットの送信を示すブロック図。
【図８】本発明の一実施形態によるプッシュ・トゥ・リッスン式の呼のために構成された監視対象装置から監視装置へのパケットの送信を示すブロック図。
【図９】本発明の一実施形態による監視装置から監視対象装置への一定の時刻に作動するような仕組みの応答修正パケットの送信を示すブロック図。
【図１０】本発明の一実施形態による修正済みの一定の時刻に作動する応答のために再構成した監視対象装置から監視装置へのパケットの送信を示すブロック図。
【図１１】本発明の一実施形態による監視装置から監視対象装置への追加のハングタイム修正パケットの送信を示すブロック図。
【図１２】本発明の一実施形態による修正済みの追加のハングタイムのために再構成した監視対象装置から監視装置へのパケットの送信を示すブロック図。
【図１３】本発明の一実施形態による監視装置から監視対象装置へのスピーカ・ゲイン修正パケットの送信を示すブロック図。
【図１４】本発明の一実施形態による調整済みのスピーカ・ゲインのために再構成した監視対象装置から監視装置へのパケットの送信を示すブロック図。
【図１５】本発明の一実施形態による監視装置から監視対象装置へのマイク・ゲイン修正パケットの送信を示すブロック図。
【図１６】本発明の一実施形態による調整済みのマイク・ゲインのために再構成した監視対象装置から監視装置へのパケットの送信を示すブロック図。
【図１７】本発明のプッシュ・トゥ・リッスン・システムの第２の実施形態の動作を示すフローチャート。
【図１】
2007505563.tif 000003
【図２】
2007505563.tif 000004
【図３】
2007505563.tif 000005
【図４】
2007505563.tif 000006
【図５】
2007505563.tif 000007
【図６】
2007505563.tif 000008
【図７】
2007505563.tif 000009
【図８】
2007505563.tif 000010
【図９】
2007505563.tif 000011
【図１０】
2007505563.tif 000012
【図１１】
2007505563.tif 000013
【図１２】
2007505563.tif 000014
【図１３】
2007505563.tif 000015
【図１４】
2007505563.tif 000016
【図１５】
2007505563.tif 000017
【図１６】
2007505563.tif 000018
【図１７】
2007505563.tif 000019
【国際調査報告】
2007505563.tif 000020